(57)【要約】  情報再生装置は、等化器と、最尤検出器とを具備する。等化器は、２次ボルテラフィルタを備え、情報記録媒体から再生される再生信号を所定の特性に等化して等化信号を出力する。最尤検出器は、等化信号に基づいて、最尤検出により２値化信号を出力する。この２次ボルテラフィルタの２次項の成分を３項または４項とすることにより、効果的に非線形成分を補正することが可能になる。
2008111346.tif 000002
【特許請求の範囲】
【請求項１】
２次ボルテラフィルタを備え、情報記録媒体から再生される再生信号を所定の特性に等化して等化信号を出力する等化器と、
前記等化信号に基づいて、最尤検出により２値化信号を出力する最尤検出器と
を具備し、
前記２次ボルテラフィルタの演算処理に含まれる２次項の数を５より少なく制限して演算する
情報再生装置。
【請求項２】
さらに、前記２値化信号に基づいて、前記等化信号のずれを検出し、前記２次ボルテラフィルタのタップ係数を調整する適応等化器制御部を具備する
請求の範囲１に記載の情報再生装置。
【請求項３】
前記再生信号を時間で離散化した信号系列をｘ（ｋ）とし、Ｍを所定の固定数とすると、前記２次ボルテラフィルタの演算処理に含まれる２次項は、
ｘ（ｋ＋１−Ｍ）・ｘ（ｋ−Ｍ）と、
ｘ（ｋ＋１−Ｍ）・ｘ（Ｋ−１−Ｍ）と、
ｘ（ｋ−Ｍ）・ｘ（ｋ−１−Ｍ）と
の３項である
請求の範囲１または請求の範囲２に記載の情報再生装置。
【請求項４】
前記再生信号を時間で離散化した信号系列をｘ（ｋ）とし、Ｍを所定の固定数とすると、前記２次ボルテラフィルタの演算処理に含まれる２次項は、
ｘ（ｋ＋１−Ｍ）・ｘ（ｋ−Ｍ）と、
ｘ（ｋ＋１−Ｍ）・ｘ（ｋ−１−Ｍ）と、
ｘ（ｋ−Ｍ）・ｘ（ｋ−Ｍ）と、
ｘ（ｋ−Ｍ）・ｘ（ｋ−１−Ｍ）と
の４項である
請求の範囲１または請求の範囲２に記載の情報再生装置。
【請求項５】
前記情報記録媒体は光ディスク媒体であり、前記再生信号は前記光ディスク媒体から光学的に読み出された信号である
請求の範囲１から請求の範囲４のいずれかに記載の情報再生装置。
【請求項６】
前記等化器の特性がパーシャルレスポンス等化であり、
前記最尤検出器は、最尤検出するビタビ検出器を含む
請求の範囲１から請求の範囲５のいずれかに記載の情報再生装置。
【請求項７】
情報記録媒体から再生される再生信号を所定の特性に等化して等化信号を出力する等化ステップと、前記等化ステップは、演算処理に含まれる２次項の数を５より少なく制限して２次ボルテラフィルタの演算処理を行うボルテラフィルタステップを備え、
前記等化信号に基づいて、最尤検出により２値化信号を出力する最尤検出ステップと
を具備する情報再生方法。
【請求項８】
さらに、前記２値化信号に基づいて、前記等化信号のずれを検出し、前記２次ボルテラフィルタのタップ係数を調整する係数制御ステップを具備する
請求の範囲７に記載の情報再生方法。
【請求項９】
前記再生信号を時間で離散化した信号系列をｘ（ｋ）とし、Ｍを所定の固定数とすると、前記２次ボルテラフィルタの演算処理に含まれる２次項は、
ｘ（ｋ＋１−Ｍ）・ｘ（ｋ−Ｍ）と、
ｘ（ｋ＋１−Ｍ）・ｘ（Ｋ−１−Ｍ）と、
ｘ（ｋ−Ｍ）・ｘ（ｋ−１−Ｍ）と
の３項である
請求の範囲７または請求の範囲８に記載の情報再生方法。
【請求項１０】
前記再生信号を時間で離散化した信号系列をｘ（ｋ）とし、Ｍを所定の固定数とすると、前記２次ボルテラフィルタの演算処理に含まれる２次項は、
ｘ（ｋ＋１−Ｍ）・ｘ（ｋ−Ｍ）と、
ｘ（ｋ＋１−Ｍ）・ｘ（ｋ−１−Ｍ）と、
ｘ（ｋ−Ｍ）・ｘ（ｋ−Ｍ）と、
ｘ（ｋ−Ｍ）・ｘ（ｋ−１−Ｍ）と
の４項である
請求の範囲７または請求の範囲８に記載の情報再生方法。
【請求項１１】
前記情報記録媒体は光ディスク媒体であり、前記再生信号は前記光ディスク媒体から光学的に読み出された信号である
請求の範囲７から請求の範囲１０のいずれかに記載の情報再生方法。
【請求項１２】
前記等化ステップは、前記再生信号をパーシャルレスポンス特性に等化するステップを含み、
前記最尤検出ステップは、ビタビ検出による最尤検出するステップを含む
請求の範囲７から請求の範囲１１のいずれかに記載の情報再生方法。
【発明の詳細な説明】
【技術分野】
【０００１】
本発明は、情報再生装置および情報再生方法に関し、特に、情報記録媒体から再生された非線形成分を含む信号を処理する情報再生装置および情報再生方法に関する。なお、本出願は、日本出願番号２００７−６３０７０に基づく優先権を主張するものであり、日本出願番号２００７−６３０７０における開示内容は引用により本出願に組み込まれる。
【背景技術】
【０００２】
これまでのハードディスク装置や光ディスク装置などの情報記録媒体から信号を読み出す装置は、情報記録媒体から読み出された信号がほぼ線形特性を有するという前提で、波形等化などの信号処理を経て２値化された情報信号を検出している。【０００３】
近年、情報記録媒体の記録密度が向上するに伴って、前後の記録信号間の干渉が無視できなくなった。このため、パーシャルレスポンス（ＰＲ：Ｐａｒｔｉａｌ  Ｒｅｓｐｏｎｓｅ）の原理を用いて、再生信号を多値のレベルに等化し、さらにビタビ検出方式による最尤検出を行うような方式を用いることが増えてきた。【０００４】
図１に、そのような情報再生装置の構成例が示される。この情報再生装置８０は、ＰＬＬ回路８２、トランスバーサルフィルタ８４、ビタビ検出器８６を具備する。記録媒体からの再生信号は、ＰＬＬ回路８２でクロックが抽出され、線形等化を行うトランスバーサルフィルタ８４によって再生信号が所望のＰＲクラスに等化される。例えば、ＰＲ１２１の場合は、５つの多値レベルへの等化となる。トランスバーサルフィルタ８４から出力される等化信号から、ビタビ検出器８６による最尤検出によって、連続した等化信号系列が理想波形の信号系列にもっとも近い、いわゆる確からしい２値化信号系列が再生される。【０００５】
トランスバーサルフィルタは、タップ長をｎとすると、
2008111346.tif 000003
と表現できる。（１）式において、ｙ（ｋ）は時刻ｋにおけるフィルタの出力信号、ｘ（ｋ）は時刻ｋにおける入力信号、ｈ１（ｉ）はタップ係数（ｉ＝１，２，３，…，ｎ−１）である。一般的な情報再生装置では、タップ長として、５〜１０程度の値が用いられるが、いずれのタップ長においても、等化特性は（１）式から分かるように線形特性である。【０００６】
ところが、トランスバーサルフィルタなどの線形等化フィルタで目標とするＰＲ波形に合わせた多値レベルへの等化を行う場合、それまでの単純な２値への等化と比べると、再生信号が有する非線形特性の影響をより受けやすくなる。これは、信号レベルを判定する閾値が、２値への等化の場合は１つであったのに対し、多値への等化では複数の閾値が存在するため、振幅方向での線形特性がより重要となることも一因である。【０００７】
そこで、このような非線形性を有する信号の等化方法の１つとして、ボルテラフィルタ（Ｖｏｌｔｅｒｒａ  Ｆｉｌｔｅｒ）と呼ばれる多項式で表現されるフィルタを用いる方式が提案されている。例えば、特開２００５−３０３３６１号公報、特開２００６−３１３５９２号公報、特開２００５−７１５６５号公報には、記録媒体から読み出した再生信号をボルテラフィルタにより等化する信号処理装置が開示されている。【０００８】
このボルテラフィルタの次数としては、３次とか４次とかも理論的には可能であるが、タップ係数の安定性や回路の複雑性を考慮すると、２次のフィルタが実用的といえる。しかし、それでも従来の線形特性のみのフィルタに比べて、回路が複雑化することは避けられない。例えば、フィルタの１次項のタップ長をｎとするとタップ係数はｎ個であるが、２次項のタップ長をｎとした場合は、ｎ×ｎ個のタップ係数となってしまう。実際には、対角成分の対象性により独立するタップ係数は、ｎ×（ｎ＋１）／２となるが、それでも１次項に比べて数多くの２次項に対する処理が必要となることがわかる。したがって、回路規模やタップ係数の設定の安定性などが実用的には問題となる。
【発明の開示】
【０００９】
本発明の目的は、上記のような問題点を生じることのない非線形な信号処理を行う情報再生装置を実現することにある。即ち、本発明の目的は、回路および装置の複雑化を抑制しつつ、非線形成分を含む情報記録媒体から再生される再生信号から２値化信号を生成する情報再生装置および情報再生方法を提供することにある。
【００１０】
本発明の観点では、情報再生装置は、等化器と、最尤検出器とを具備する。等化器は、２次ボルテラフィルタを備え、情報記録媒体から再生される再生信号を所定の特性に等化して等化信号を出力する。最尤検出器は、等化信号に基づいて、最尤検出により２値化信号を出力する。情報再生装置は、この２次ボルテラフィルタの演算処理に含まれる２次項の数を５より少なく制限して演算する。
【００１１】
上記の２次ボルテラフィルタの演算処理に含まれる２次項は、再生信号を時間で離散化した信号系列をｘ（ｋ）、Ｍを所定の固定数とすると、
ｘ（ｋ＋１−Ｍ）・ｘ（ｋ−Ｍ）、
ｘ（ｋ＋１−Ｍ）・ｘ（Ｋ−１−Ｍ）、
ｘ（ｋ−Ｍ）・ｘ（ｋ−１−Ｍ）        …（２）
の３項で表記できることが好ましい。
【００１２】
また、上記の２次ボルテラフィルタの演算処理に含まれる２次項は、再生信号を時間で離散化した信号系列をｘ（ｋ）、Ｍを所定の固定数とすると、
ｘ（ｋ＋１−Ｍ）・ｘ（ｋ−Ｍ）、
ｘ（ｋ＋１−Ｍ）・ｘ（ｋ−１−Ｍ）、
ｘ（ｋ−Ｍ）・ｘ（ｋ−Ｍ）、
ｘ（ｋ−Ｍ）・ｘ（ｋ−１−Ｍ）      …（３）
の４項で表記することができてもよい。
【００１３】
本発明の他の観点では、情報再生方法は、等化ステップと、最尤検出ステップとを具備する。等化ステップは、演算処理に含まれる２次項の数が５より少ない２次ボルテラフィルタの演算処理を行うボルテラフィルタステップを備え、情報記録媒体から再生される再生信号は所定の特性に等化され、等化信号が出力される。最尤検出ステップでは、その等化信号に基づいて、最尤検出により２値化された２値化信号が出力される。
【００１４】
本発明によれば、装置の大規模な複雑化を招くことなく、情報記録媒体からの非線形な再生信号から２値化信号を得ることが出来る情報再生装置および情報再生方法を提供することができる。
【図面の簡単な説明】
【００１５】
上記発明の目的、効果、特徴は、添付される図面と連携して実施の形態の記述から、より明らかになる。
【図１】図１は、従来の情報再生装置の構成を示す図である。
【図２】図２は、再生信号のビットエラーレートと２次ボルテラフィルタの２次項の選択方法との関係を示す図である。
【図３】図３は、等化方式の違いによるビットエラーレートの変化を説明する図である。
【図４】図４は、信号アイパターンを示す図である。
【図５】図５は、本発明の実施の形態に係る情報再生装置の構成例を示す図である。
【図６】図６は、本発明の実施の形態に係るフィルタの構成例を示す図である。
【図７】図７は、本発明の実施の形態に係るフィルタの構成例を示す図である。
【図８】図８は、本発明の実施の形態に係る信号再生装置の構成例を示す図である。
【発明を実施するための最良の形態】
【００１６】
図を参照して本発明を実施するための最良の形態が説明される。
一般的な２次ボルテラフィルタは、タップ長をｎとすると、
2008111346.tif 000004
となる。この式において、ｙ（ｋ）は時刻ｋにおける出力信号、ｘ（ｋ）は時刻ｋにおける入力信号、ｈ１（ｉ）は１次項のタップ係数（ｉ＝１，２，３，…，ｎ−１）、ｈ２（ｊ１，ｊ２）は２次項のタップ係数（ｊ１＝１，２，３，…，ｎ−１；ｊ２＝１，２，３，…，ｎ−１）を示す。【００１７】
２次項のタップ係数については、ｈ２（ｊ１，ｊ２）＝ｈ２（ｊ２，ｊ１）の関係が成り立つ。したがって、独立なタップ係数はｎ×ｎ個より少ないｎ×（ｎ＋１）／２個となるが、それでも１次のタップ係数ｎ個よりかなり多くなることがわかる。【００１８】
この２次ボルテラフィルタは、そのタップ係数を適応等化アルゴリズムに従って、逐次最適化するように動作させることが可能である。これは、トランスバーサルフィルタのタップ係数を、最小２乗法に従って最適化出来ることと同じである。【００１９】
従来の線形等化器においては、１次項のタップ長は、５〜１０程度の値が利用されている。タップ長５であれば、ある時刻の信号に対して、時系列で前後２時刻分ずつの信号の干渉を考慮することを意味している。【００２０】
２次ボルテラフィルタの場合、１次項のタップ長が５であれば、２次項のタップ係数の数は、ｎ×（ｎ＋１）／２個であるから、対象性を考慮しても１５個が必要となる。この２次項のタップ係数を減らす方法として、まずは１次項に比べてタップ長を制限することが考えられる。例えば、タップ長を前後１つずつの３とすれば、２次のタップ係数の数は６となる。これでも、まだ１次のタップ係数の数を上回っている。【００２１】
ところが、発明者が実際の記録媒体からの再生信号を仔細に調査したところ、特定の２次項を選択することで、かなりの非線形成分を補正できることを発見した。【００２２】
図２は、光ディスク媒体からの再生信号を、ＰＲ等化およびビタビ検出を行って２値化する処理において、等化に用いる２次ボルテラフィルタの２次項の選択により、再生信号のビットエラーレートがどのように変化するかを実測した結果を示す図である。ＰＲのクラスとしてはＰＲ１２２２１への等化を行う。したがって、再生信号には前後２時刻分ずつの符号間干渉があるとする条件下のビットエラーレートとなる。再生信号の符号系列は、時刻の単位をＴとすると最短マーク長２Ｔ、最長マーク長７Ｔの１−７変調符号である。【００２３】
このとき、タップ長ｎ＝１１であり、全ての測定条件において、１次項の数は１１項固定である。２次項がない場合と、２次項を加えた例が４つ示される。その４条件は、２次項を選択的に３項加えた場合、２次項を選択的に４項加えた場合、５×５項の２次項を加えた場合、９×９項の２次項を加えた場合である。【００２４】
２次項構成が９×９項とは、２次項のｊ１、ｊ２を１から９に制限し、２次項を
2008111346.tif 000005
として、１次項に加えたものである。【００２５】
２次項構成が５×５項とは、２次項のｊ１、ｊ２を３から７に制限し、２次項を
2008111346.tif 000006
として、１次項に加えたものである。【００２６】
２次項構成が４項とは、２次項を下記の４項に絞り、
ｈ２（４，５）・ｘ（ｋ−４）・ｘ（ｋ−５）
＋ｈ２（４，６）・ｘ（ｋ−４）・ｘ（ｋ−６）
＋ｈ２（５，５）・ｘ（ｋ−５）・ｘ（ｋ−５）
＋ｈ２（５，６）・ｘ（ｋ−５）・ｘ（ｋ−６）  …（７）
を１次項に加えたものである。【００２７】
２次項構成が３項とは、２次項を下記の３項に絞り、
ｈ２（４，５）・ｘ（ｋ−４）・ｘ（ｋ−５）
＋ｈ２（４，６）・ｘ（ｋ−４）・ｘ（ｋ−６）
＋ｈ２（５，６）・ｘ（ｋ−４）・ｘ（ｋ−６）  …（８）
を１次項に加えたものである。【００２８】
２次項がない１次項だけの条件では、ビットエラーレートは２×１０−６程度であった。１次項に対して２次項を３項加えた条件において、すでに、ビットエラーレートは１×１０−７となっている。１次項だけの条件において２×１０−６であるから、１桁以上の特性改善が得られることがわかる。さらに、１次項に加える２次項の数を３項より増やしても、エラーレートの改善度合いは少ない。したがって、実用的には、回路の規模と特性改善効果のバランスから、３項または４項の２次項の追加で十分であることが分かる。【００２９】
図３に、等化方式の違いによるビットエラーレートの変化を実測した例が示される。光ディスク媒体からの再生信号として最もよく発生する非線形特性であるアシンメトリずれに対する、等化方式の違いによるビットエラーレートを実測した例である。測定における信号検出条件は、図２の測定と同じである。図４に示されるような信号アイパターンにおいて、上エンベロープ（Ａ）、下エンベロープ（Ｄ）、最小振幅信号の上エンベロープ（Ｂ）、最小振幅信号の下エンベロープ（Ｃ）としたとき、再生信号のアシンメトリの値は、
［（Ａ＋Ｄ）／２−（Ｂ＋Ｃ）／２］／（Ａ−Ｄ）  …（９）
と規定される値であり、信号振幅の上下方向の非対称性を示す指標である。【００３０】
図３からは、アシンメトリが発生しない状況では、１次項のみで十分なビットエラーレートが得られていることが分かる。しかし、アシンメトリの発生によってエラーレートは、１×１０−４以上と大きく劣化する。これに対して、２次項を３項加えるだけで特性は大幅に改善され、１×１０−６以下の実用可能な特性が得られている。さらに、この特性は、どのアシンメトリ条件においても、２次項として５×５項加えた場合と大差が無いことが分かる。【００３１】
したがって、選択的に少数の２次項を加えることの効果は、幅広い非線形特性で有効であることが明らかとなった。これは、情報記録媒体から再生された信号系列に含まれる非線形成分が、線形成分に比べて時間軸上で狭い範囲に主に局在していることに起因すると理解される。【００３２】
ちなみに、Ｍ＝５とすると（８）式は、
ｈ２（Ｍ−１，Ｍ）・ｘ（ｋ＋１−Ｍ）・ｘ（ｋ−Ｍ）
＋ｈ２（Ｍ−１，Ｍ＋１）・ｘ（ｋ＋１−Ｍ）・ｘ（ｋ−１−Ｍ）
＋ｈ２（Ｍ，Ｍ＋１）・ｘ（ｋ−Ｍ）・ｘ（ｋ−１−Ｍ）    …（１０）
と表現できる。これから、基準となる時刻（ｋ−Ｍ）に対して±１時刻における信号との演算項のみを利用すればよいことがわかる。【００３３】
同様に（７）式も、
ｈ２（Ｍ−１，Ｍ）・ｘ（ｋ＋１−Ｍ）・ｘ（ｋ−Ｍ）
＋ｈ２（Ｍ−１，Ｍ＋１）・ｘ（ｋ＋１−Ｍ）・ｘ（ｋ−１−Ｍ）
＋ｈ２（Ｍ，Ｍ）・ｘ（ｋ−Ｍ）・ｘ（ｋ−Ｍ）
＋ｈ２（Ｍ，Ｍ＋１）・ｘ（ｋ−Ｍ）・ｘ（ｋ−１−Ｍ）    …（１１）
となり、±１時刻のみが含まれることがわかる。【００３４】
もちろん、±１時刻の２次項は６個あるので、すべてを使うと複雑化してしまう。即ち、上記のように補正効果の高い項から選択的に使用することが、本発明の効果を高めている。【００３５】
以上のように、情報記録媒体からの再生信号においては、ボルテラフィルタは、３項または４項の２次項を使用するだけで、実用上十分な非線形特性の等化が可能であり、良好な２値化信号を得ることができる。このような特性は、ＰＲクラスを、ＰＲ１２１、ＰＲ１２２１、ＰＲ３４４３としたような場合、あるいは最短マーク長を３Ｔとするような符号系列（例えば８−１６変調）を用いた場合でも有効であることが確認でき、一般的に広く適用可能であることが明らかとなった。【００３６】
図５は、本発明の実施の形態に係る情報再生装置の構成例を示す図である。情報再生装置１０は、ＰＬＬ回路１２、２次ボルテラフィルタ１４、ビタビ検出器１６、適応等化器制御部１８を具備する。【００３７】
情報記録媒体から再生された再生信号は、ＰＬＬ（Ｐｈａｓｅ  ｌｏｃｋｅｄ  ｌｏｏｐ）回路１２によりクロックが抽出される。そのクロックとクロックに同期した再生信号を２次ボルテラフィルタ１４に入力し、２次ボルテラフィルタ１４は所望のＰＲクラスに対応するように再生信号を等化する。２次ボルテラフィルタ１４から出力される等化信号は、ビタビ検出器１６により最尤検出が行われて、最も確からしい２値化信号が得られる。さらに、再生信号特性の時間的な変動を保障するために、適応等化器制御部１８は、ビタビ検出器１６から出力される２値化信号から等化信号のずれを検出し、２次ボルテラフィルタ１４のタップ係数を調整する。これにより適応等化の機能を実現することも可能である。これらの適応等化には、よく知られた最小二乗法の原理に基づくアルゴリズムなどを用いることができる。【００３８】
また、これらの信号処理は、再生信号をＡＤ変換してデジタル化し、論理回路の演算として実行することも出来るので、コンパクトなロジックＬＳＩ（Ｌａｒｇｅ  ｓｃａｌｅ  ｉｎｔｅｇｒａｔｅｄ  ｃｉｒｃｕｉｔ）として実装することが可能である。【００３９】
図６は、２次ボルテラフィルタの構成例を示す図である。１次項として７項を、２次項として３項を用いる場合の例が示される。Ｚ−１は１時刻遅れの遅延要素、Σは総和の演算要素を表す。図の上半分では、入力信号の各時刻遅れ成分に１次項のタップ係数ｈ１（０）〜ｈ１（６）が掛けられて、その総和が求められる。図の下半分では、中心付近の３つの遅れ成分に２次項のタップ係数ｈ２（２，３）、ｈ２（２，４）、ｈ２（３，４）が掛けられて、その総和が求められる。最後に、１次項の総和と２次項の総和とを加算して出力信号が得られる。個々のタップ係数は、適応等化機能のため、可変とすることも出来る。【００４０】
図７は、１次項として７項を、２次項として４項を用いる場合の２次ボルテラフィルタの構成例を示す図である。Ｚ−１は１時刻遅れの遅延要素、Σは総和の演算要素を表す。図の上半分では、入力信号の各時刻遅れ成分に１次項のタップ係数ｈ１（０）〜ｈ１（６）が掛けられて、その総和が求められる。図の下半分では、中心付近の３つの遅れ成分に２次項のタップ係数ｈ２（２，３）、ｈ２（２，４）、ｈ２（３，３）、ｈ２（３，４）が掛けられて、その総和が求められる。最後に、１次項の総和と２次項の総和とを加算して出力信号が得られる。個々のタップ係数は、適応等化機能のため、可変とすることも出来る。【００４１】
図６、図７において、２次項を形成する遅れ要素は、必ずしも１次項の遅れ要素の中心部にある必要はない。したがって、図の右端から左端のどこでも設定可能であるが、１次項と２次項を出来るだけ効果的に組み合わせるには、なるべく中心に合わせることが望ましい。【００４２】
ただし、再生信号に含まれる符号間干渉の影響が、時刻の前方向と後ろ方向でアンバランスになっているような場合には、それに合わせて２次項を形成する位置を調整した方が良好な場合もある。【００４３】
図８は、本発明の実施の形態に係る信号再生装置の構成例を示す図である。光ディスク媒体に記録された情報信号を再生する信号再生装置は、その内部に本発明の情報再生装置１０を搭載する。したがって、信号再生装置は、光ヘッド２、ＲＦアンプ２０、情報再生装置１０、復号回路４０を具備する。再生信号は、光ディスク媒体１から光ヘッド２によって再生され、ＲＦアンプ２０を介して情報再生装置１０に入力される。この再生信号は、情報再生装置１０によって２値化信号に変換され、２値化信号は復号回路４０に出力される。２値化信号は復号回路４０によって復号処理が施され、元の情報信号が復元される。【００４４】
符号としては、これまで述べてきた１−７符号のようなリードソロモン符号だけでなく、ターボ符号や低密度パリティー検査符号（ＬＤＰＣ）のようなエラー補正能力の高い符号を用いることも可能である。【００４５】
このように、装置の大規模な複雑化を招くことなく、情報記録媒体からの非線形な再生信号から２値化信号を得ることが出来る。以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2008111346.tif 000007
【図２】
2008111346.tif 000008
【図３】
2008111346.tif 000009
【図４】
2008111346.tif 000010
【図５】
2008111346.tif 000011
【図６】
2008111346.tif 000012
【図７】
2008111346.tif 000013
【図８】
2008111346.tif 000014
【手続補正書】
【提出日】平成20年11月19日(2008.11.19)
【手続補正１】
【補正対象書類名】特許請求の範囲
【補正対象項目名】請求項１
【補正方法】変更
【補正の内容】
【請求項１】
２次ボルテラフィルタを備え、情報記録媒体から再生される再生信号を所定の特性に等化して等化信号を出力する等化器と、
前記等化信号に基づいて、最尤検出により２値化信号を出力する最尤検出器と
を具備し、
前記２次ボルテラフィルタの演算処理に含まれる２次項の数を２以上でかつ５より少なく制限して演算する
情報再生装置。
【手続補正２】
【補正対象書類名】特許請求の範囲
【補正対象項目名】請求項７
【補正方法】変更
【補正の内容】
【請求項７】
情報記録媒体から再生される再生信号を所定の特性に等化して等化信号を出力する等化ステップと、前記等化ステップは、演算処理に含まれる２次項の数を２以上でかつ５より少なく制限して２次ボルテラフィルタの演算処理を行うボルテラフィルタステップを備え、
前記等化信号に基づいて、最尤検出により２値化信号を出力する最尤検出ステップと
を具備する情報再生方法。
【国際調査報告】
2008111346.tif 000015
2008111346.tif 000016
2008111346.tif 000017
2008111346.tif 000018